(57)【要約】      （修正有）【課題】使用者が混乱して不注意にロックオフ機構を停止させるかもしれないという問題を軽減する。【解決手段】トリガーアセンブリー１００は、電気スイッチハウジング１２０に対して移動するトリガー部材１３０と、トリガー部材の移動に応答して、電気スイッチがオフ位置からオン位置に向かう第１の方向およびオン位置からオフ位置に向かう第２の方向に移動可能であるアクチュエータ部材と、アクチュエータ部材がオン位置にロックされるロック構成、およびアクチュエータ部材がオン位置にロックされない非ロック構成を選択可能であるロックオン機構と、アクチュエータがオフ位置からオン位置への移動を制限されるロックオフ位置、およびアクチュエータ部材がオフ位置からオン位置への移動を制限されない非ロックオフ位置を選択可能であるロックオフ機構とを含み、前記ロックオン機構と前記ロックオフ機構とは別々であり、互いに独立して動作可能である。【選択図】図１
2019111641.tif 000002
【特許請求の範囲】
【請求項１】
電気装置とともに使用するためのトリガーアセンブリーであって、前記電気装置は、電気スイッチユニットがその中に配置された電気スイッチハウジングを有し、
前記トリガーアセンブリーは、
前記ハウジングに対して移動するように構成されているトリガー部材と、
前記トリガー部材に動作可能に接続されたアクチュエータ部材であって、前記トリガー部材の前記ハウジングに対する移動に応答して、前記電気スイッチが前記アクチュエータによって動作可能に開放されるオフ位置から前記電気スイッチが前記アクチュエータによって動作可能に閉鎖されるオン位置に向かう前記ハウジングに対する第１の方向に移動可能であり、前記オン位置から前記オフ位置に向かう前記ハウジングに対する第２の方向に移動可能であるアクチュエータ部材と、
前記トリガー部材に近接して取り付けられた第１のロック部材と、前記ハウジングに近接して取り付けられた第２のロック部材とを含むロックオン機構であって、前記アクチュエータ部材がオン位置に移動すると、前記アクチュエータ部材がオン位置にロックされるロック構成、および前記アクチュエータ部材がオン位置にロックされない非ロック構成のうちの少なくとも１つに、前記第１および第２のロック部材が互いに対して選択可能に移動可能であるロックオン機構と、そして
前記トリガー部材に配置されたロックオフ部材を含むロックオフ機構であって、前記ロックオフ部材が前記トリガー部材の前記ハウジングに対する移動を制限し前記アクチュエータ部材がオフ位置からオン位置への移動を制限されるロックオフ位置、および前記ロックオフ部材が前記トリガー部材の前記ハウジングに対する移動を制限せず前記アクチュエータ部材がオフ位置からオン位置への移動を制限されない非ロックオフ位置のうちの少なくとも１つの間を選択可能に移動可能であるロックオフ部材を含むロックオフ機構とを含み、
前記ロックオン機構と前記ロックオフ機構とは別々であり、互いに独立して動作可能であるトリガーアセンブリー。
【請求項２】
前記ロックオン機構の前記第１のロック部材が、前記トリガー部材に回転可能に取り付けられており、前記アクチュエータ部材が前記オン位置にロックされる前記ロック構成に前記トリガー部材に対する回転軸の周りを第１の方向に回転し、前記アクチュエータ部材が前記オン位置にロックされない前記非ロック構成に前記トリガー部材に対する前記回転軸の周りを第２の方向に回転するように構成されている、請求項１に記載のトリガーアセンブリー。
【請求項３】
前記回転軸が、前記アクチュエータの移動方向と実質的に直角である、請求項２に記載のトリガーアセンブリー。
【請求項４】
前記ロックオフ機構の前記ロックオフ部材が、前記トリガー部材に摺動可能に取り付けられており、前記トリガー部材に対して、前記ロックオフ位置と非ロックオフ位置との間の摺動軸に沿って摺動可能に移動するように構成されている、請求項１から３のうちのいずれか一項に記載のトリガーアセンブリー。
【請求項５】
前記摺動軸が、前記第１のロック部材の前記回転軸と実質的に平行である、請求項４に記載のトリガーアセンブリー。
【請求項６】
前記ロックオフ部材が、前記摺動軸に沿った相対的に中央の位置に配置されるときに前記ロックオフ位置にあり、前記ロックオフ部材が、前記相対的に中央の位置の少なくとも１つの側の前記摺動軸に沿った位置に配置されるときに前記非ロックオフ位置にある、請求項４または５に記載のトリガーアセンブリー。
【請求項７】
前記ロックオフ部材が、前記相対的に中央の位置のいずれかの側の前記摺動軸に沿った位置にあるときに前記非ロックオフ位置にある、請求項６に記載のトリガーアセンブリー。
【請求項８】
前記ロックオフ部材が、前記ロックオフ部材を前記中央の位置に向けて押しつけるように構成されている付勢部材を含む、請求項６または７に記載のトリガーアセンブリー。
【請求項９】
前記ロックオフ部材が、前記ロックオフ位置に配置される場合に少なくとも約５０ポンドの力が加えられるときに前記トリガー部材の前記ハウジングに対する移動を制限するように構成されている、請求項１から８のうちのいずれか一項に記載のトリガーアセンブリー。
【請求項１０】
前記トリガー部材が、前記ハウジングに対してヒンジ結合され、前記アクチュエータがオフ位置に押しつけられる前記ヒンジの周りの前記トリガー部材の移動を付勢するように構成されている付勢部材を含む、請求項１から９のうちのいずれか一項に記載のトリガーアセンブリー。
【請求項１１】
電気装置のトリガーアセンブリーとともに使用するための施錠システムであって、前記電気装置は、
電気スイッチユニットがその中に配置された電気スイッチハウジングと、
前記ハウジングに対して移動するように構成されているトリガー部材と、
前記トリガー部材に動作可能に接続されたアクチュエータ部材であって、前記トリガー部材の前記ハウジングに対する移動に応答して、前記電気スイッチが前記アクチュエータによって動作可能に開放されるオフ位置から、前記電気スイッチが前記アクチュエータによって動作可能に閉鎖されるオン位置に向かう前記ハウジングに対する第１の方向に移動可能であり、前記オン位置から前記オフ位置に向かう前記ハウジングに対する第２の方向に移動可能である、アクチュエータ部材とを有し、
前記施錠システムは、
前記トリガー部材に近接して取り付けられた第１のロック部材と、前記ハウジングに近接して取り付けられた第２のロック部材とを含むロックオン機構であって、前記アクチュエータ部材がオン位置に移動すると、前記アクチュエータ部材がオン位置にロックされるロック構成、および前記アクチュエータ部材がオン位置にロックされない非ロック構成のうちの少なくとも１つに、前記第１および第２のロック部材が互いに対して選択可能に移動可能であるロックオン機構と、そして
前記トリガー部材に配置されたロックオフ部材を含むロックオフ機構であって、前記ロックオフ部材が前記トリガー部材の前記ハウジングに対する移動を制限し前記アクチュエータ部材がオフ位置からオン位置への移動を制限されるロックオフ位置、および前記ロックオフ部材が前記トリガー部材の前記ハウジングに対する移動を制限せず前記アクチュエータ部材がオフ位置からオン位置への移動を制限されない非ロックオフ位置のうちの少なくとも１つの間を選択可能に移動可能であるロックオフ部材を含むロックオフ機構とを含み、
前記ロックオン機構と前記ロックオフ機構とは別々であり、互いに独立して動作可能である施錠システム。
【発明の詳細な説明】
【技術分野】
【０００１】
本発明は、例えば、電動工具、園芸用具等の電気装置のトリガーを施錠オンおよび施錠オフするための施錠システムに関する。
【背景技術】
【０００２】
電動工具などのトリガー作動性電気装置を、所望の速度設定で長時間連続操作する必要があることがある。トリガーを操作している使用者の指の疲労を軽減するために、使用者がトリガーに対する圧力を維持する必要がなく、所望の動作速度で電動工具を施錠できる「ロックオン」機構が提供されている。同じロックオン機構は、「ロックオフ」機構としての二重機能、すなわち、トリガーが押し込まれて電気装置がオンになるのを防止するロックオフ位置に選択可能に移動可能な機構を提供するように構成することもできる。このような二重目的のロックオン/ロックオフ機構についての１つの予期される問題は、使用者が混乱して不注意にロックオフ機構を停止させ、電気装置をオンにして使用者に危害をもたらし得るかもしれないということである。
【発明の概要】
【発明が解決しようとする課題】
【０００３】
本発明は、上記の問題の少なくとも１つを軽減することを目的とする。
【課題を解決するための手段】
【０００４】
本発明は、いくつかの広範な形態を含むことができる。本発明の実施形態は、本明細書に記載された種々の広範な形態の１つまたは任意の組み合わせを含むことができる。
【０００５】
第１の広範な形態では、本発明は、電気装置とともに使用するためのトリガーアセンブリーを提供し、前記電気装置は、電気スイッチユニットがその中に配置された電気スイッチハウジングを有し、トリガーアセンブリーは、ハウジングに対して移動するように構成されているトリガー部材と、トリガー部材に動作可能に接続されたアクチュエータ部材であって、トリガー部材のハウジングに対する移動に応答して、電気スイッチがアクチュエータによって動作可能に開放されるオフ位置から電気スイッチがアクチュエータによって動作可能に閉鎖されるオン位置に向かうハウジングに対する第１の方向に移動可能であり、オン位置からオフ位置に向かうハウジングに対する第２の方向に移動可能であるアクチュエータ部材と、トリガー部材に近接して取り付けられた第１のロック部材、およびハウジングに近接して取り付けられた第２のロック部材を含むロックオン機構であって、アクチュエータ部材がオン位置に移動すると、アクチュエータ部材がオン位置にロックされるロック構成、およびアクチュエータ部材がオン位置にロックされない非ロック構成のうちの少なくとも１つに、前記第１および第２のロック部材が互いに対して選択可能に移動可能であるロックオン機構と、トリガー部材に配置されたロックオフ部材を含むロックオフ機構であって、ロックオフ部材がトリガー部材のハウジングに対する移動を制限しアクチュエータ部材がオフ位置からオン位置への移動を制限されるロックオフ位置、およびロックオフ部材がトリガー部材のハウジングに対する移動を制限せずアクチュエータ部材がオフ位置からオン位置への移動を制限されない非ロックオフ位置のうちの少なくとも１つの間を選択可能に移動可能であるロックオフ部材を含むロックオフ機構とを含み、前記ロックオン機構と前記ロックオフ機構とは別々であり、互いに独立して動作可能である。
【０００６】
好ましくは、ロックオン機構の第１のロック部材は、トリガー部材に回転可能に取り付けられ、トリガー部材に対して回転軸の周りの第１の方向に回転してアクチュエータ部材がオン位置にロックされるロック構成になり、そして、回転軸の周りの第２の方向に回転してアクチュエータ部材がオン位置にロックされない非ロック構成になるように構成されていてもよい。
【０００７】
好ましくは、回転軸は、アクチュエータの移動方向と実質的に直角であってもよい。
【０００８】
好ましくは、ロックオフ機構のロックオフ部材は、トリガー部材に摺動可能に取り付けられ、ロックオフ位置と非ロックオフ位置との間の摺動軸に沿ってトリガー部材に対して摺動可能に移動するように構成されていてもよい。
【０００９】
好ましくは、摺動軸は、第１のロック部材の回転軸と実質的に平行であってもよい。
【００１０】
好ましくは、ロックオフ部材は、摺動軸に沿った相対的に中央の位置に配置されるときにロックオフ位置にあってもよく、ロックオフ部材は、相対的に中央の位置の少なくとも１つの側の摺動軸に沿った位置に配置されるときに非ロックオフ位置にあってもよい。
【００１１】
好ましくは、ロックオフ部材は、相対的に中央の位置のいずれかの側の摺動軸に沿った位置にあるときに非ロックオフ位置にあってもよい。
【００１２】
好ましくは、ロックオフ部材は、ロックオフ部材を中央位置に向けて押しつけるように構成されている付勢部材を含んでいてもよい。
【００１３】
好ましくは、ロックオフ部材がロックオフ位置に配置される場合にトリガー部材に少なくとも約５０ポンドの力が加えられるときにトリガー部材のハウジングに対する移動を制限するように構成されていてもよい。典型的には、例えば、「Ｅクリップ」、「Ｅリング」等のファスナが、ロックオフ部材とトリガー部材との間に配置され、付勢部材によって作用を受けてロックオフ部材とともに移動してもよい。好都合には、ロックオフ部材とトリガー部材との間のファスナの存在は、ロックオフ部材がロックオフ位置に配置されるときにトリガー部材に加えられる力に耐える助けとなり得る。
【００１４】
好ましくは、トリガー部材は、ハウジングに対してヒンジ結合され、アクチュエータがオフ位置に向けて押しつけられるヒンジの周りのトリガー部材の移動を付勢するように構成されている付勢部材を含んでいてもよい。
【００１５】
別の広範な形態では、本発明は、電気装置のトリガーアセンブリーとともに使用するための施錠システムを提供し、前記電気装置は、電気スイッチユニットがその中に配置された電気スイッチハウジングと、ハウジングに対して移動するように構成されているトリガー部材と、トリガー部材に動作可能に接続されたアクチュエータ部材であって、トリガー部材のハウジングに対する移動に応答して、電気スイッチがアクチュエータによって動作可能に開放されるオフ位置から電気スイッチがアクチュエータによって動作可能に閉鎖されるオン位置に向かうハウジングに対する第１の方向に移動可能であり、オン位置からオフ位置に向かう第２の方向に移動可能であるアクチュエータ部材とを有し、前記施錠システムは、トリガー部材に近接して取り付けられた第１のロック部材、およびハウジングに近接して取り付けられた第２のロック部材を含むロックオン機構であって、アクチュエータ部材がオン位置に移動すると、アクチュエータ部材がオン位置にロックされるロック構成、およびアクチュエータ部材がオン位置にロックされない非ロック構成のうちの少なくとも１つに、前記第１のロック部材および第２のロック部材が互いに対して選択可能に移動可能であるロックオン機構と、トリガー部材に配置されたロックオフ部材を含むロックオフ機構であって、ロックオフ部材がトリガー部材のハウジングに対する移動を制限しアクチュエータ部材がオフ位置からオン位置への移動を制限されるロックオフ位置、およびロックオフ部材がトリガー部材のハウジングに対する移動を制限せずアクチュエータ部材がオフ位置からオン位置への移動を制限されない非ロックオフ位置の少なくとも１つの間を選択可能に移動可能であるロックオフ部材を含むロックオフ機構とを含み、前記ロックオン機構と前記ロックオフ機構とは別々であり、互いに独立して動作可能である。
【００１６】
本発明は、添付の図面に関連して記載の好ましいが非限定的な実施形態の以下の詳細な説明からより完全に理解されよう。
【図面の簡単な説明】
【００１７】
【図１】本発明の第１の実施形態による電気装置のトリガーアセンブリーの上面図である。
【図２】本発明の第１の実施形態の側面図である。
【図３】本発明の第１の実施形態の底面図である。
【図４】本発明の第１の実施形態の透視図である。
【図５】本発明の第１の実施形態の正面図である。
【図６】本発明の第１の実施形態の背面図である。
【図７】本発明の第１の実施形態の分解図である。
【図８Ａ】トリガーアセンブリーのトリガー部材がハウジングに向けて内向きに押し込まれずアクチュエータ部材が電気スイッチハウジング内の電気スイッチユニットを動作可能に開放するオフ位置に配置されるときの本発明の第１の実施形態の正面切開図である。
【図８Ｂ】トリガーアセンブリーのトリガー部材がハウジングに向けて内向きに押し込まれずアクチュエータ部材が電気スイッチハウジング内の電気スイッチユニットを動作可能に開放するオフ位置に配置されるときの本発明の第１の実施形態の側面切開図である。
【図８Ｃ】トリガーアセンブリーのトリガー部材がハウジングに向けて内向きに押し込まれアクチュエータ部材が電気スイッチハウジング内の電気スイッチユニットを動作可能に閉鎖するオン位置に配置されるときの本発明の第１の実施形態の正面切開図である。
【図８Ｄ】トリガーアセンブリーのトリガー部材がハウジングに向けて内向きに押し込まれアクチュエータ部材が電気スイッチハウジング内の電気スイッチユニットを動作可能に閉鎖するオン位置に配置されるときの本発明の第１の実施形態の側面切開図である。
【図９】本発明の第１の実施形態によるロックオフ機構の動作である。
【図１０】ロックオフ機構をより詳細に示す本発明の第１の実施形態の正面切開図である。
【図１１】本発明の第１の実施形態の分解斜視図である。
【発明を実施するための形態】
【００１８】
ここで、本発明の好ましい実施形態を、図１〜図１１を参照して本明細書に記載する。実施形態は、例えば、電動ドリル、電気グラインダ、電動サンダ、電動ノコギリ、回転駆動工具等を含む、電動モータを有する電動工具とともに使用するための可変速トリガーアセンブリー（１００）を含む。より詳細には、本明細書に記載の実施形態は、ロックオン機能とロックオフ機能との両方を提供するための施錠システムを有する可変速トリガーアセンブリーを含む。この実施形態は、電動工具とともに使用するために記載されているが、これは、単に、機能性を説明する目的のためにすぎず、もちろん、本発明の代わりの実施形態は、園芸用具などの他のタイプの電気装置とともに使用してもよいことが理解されよう。
【００１９】
可変速トリガーアセンブリー（１００）は、電気スイッチハウジング（１２０）に対してヒンジ（１３３）の周りに回転可能に移動可能である手動可能なトリガー部材（１３０）を含む。戻しバネ（１３６）は、ハウジング（１２０）から離れる方向に押しつけられるようにトリガー部材（１３０）を付勢する。ハウジング（１２０）は、硬質プラスチック材料から成形され、電動工具のハンドルに近い電動工具の本体（１１０）に取り付けられる。ハウジング（１２０）は、電動工具のブラシレス直流モータと直流電源（例えば、電池パック）との間の電気回路内に直列に配置される定置・移動自在の電気スイッチ接点（１６０）を含む電気スイッチユニット（１６０）を囲む。
【００２０】
トリガー部材（１３０）はまた、アクチュエータ部材（１５０）に動作可能に接続されており、それによって、トリガー部材（１３０）がハウジング（１２０）に向けて押し込まれると、アクチュエータ部材（１５０）は、オフ位置からオン位置に向けてハウジング（１２０）の内向きの方向に移動するように構成されている。使用者の手がトリガー部材（１３０）を離すと、戻しバネ（１３６）がトリガー部材（１３０）をハウジング（１２０）から離れる方向に押しつけ、したがって、アクチュエータ部材（１５０）はまた、ハウジング（１２０）の外向きの方向に、オン位置からオフ位置に向けて移動させられる。アクチュエータ部材（１５０）は、アクチュエータ部材（１５０）のオン位置への移動に応答して、電気スイッチ接点（１６０）が、直流電源からの電力が一対の電気スイッチ接点（１６０）を介してブラシレス直流モータに供給され得る閉回路配置に移動するように、電気スイッチ接点（１６０）に動作可能に接続される。逆に、アクチュエータ部材（１５０）がトリガー部材（１３０）のハウジング（１２０）から離れる移動によってオフ位置に戻ることに応答して、一対の電気スイッチ接点（１６０）は、直流電源が一対の電気スイッチ接点（１６０）を介してブラシレス直流モータに電力を供給できない開回路構成に移動する。アクチュエータ部材（１５０）はまた、使用者の手によってトリガー部材（１３０）に加えられる押し込み力の量に応じてオン位置の範囲を通じてハウジング（１２０）の内向きに移動可能であり、直流モータは、アクチュエータ部材（１５０）のハウジングの内向きの移動の程度に応じて可変動作速度で動作するように構成されている。本明細書に記載の実施形態では、ハウジングに対してヒンジの周りに回転可能に移動するように構成されているヒンジ式トリガー部材が利用されることが理解されよう。しかし、代わりの実施形態では、トリガー部材は、ピストル式トリガー、もしくは、回転運動または摺動運動以外でハウジングに対して移動するように構成されている任意の他のタイプのトリガーに構成されていてもよい。
【００２１】
施錠システムのロックオン機構は、使用者が任意の所定の動作速度で電動工具の動作を維持するために、トリガー部材（１３０）をトリガー部材（１３０）のその速度設定位置で押し込み続ける必要性を排除する。ロックオン機構は、トリガー部材（１３０）にある別のヒンジ（１３４）の周りに回転可能に取り付けられた第１のロック部材（１３１）と、ハウジング（１２０）に接した電動工具の本体に強固に取り付けられた第２のロック部材（１２１）とを含む。トリガー部材（１３０）がハウジング（１２０）に向けて押し込まれ、アクチュエータ部材（１５０）がトリガー部材（１３０）の移動によってオン位置に動作可能に移動すると、ロックオン機構の第１のロック部材（１３１）は、ヒンジ（１３４）の周りの第１の方向に回転して第２のロック部材（１２１）とのロック構成になり得る。第１のロック部材（１３１）は、例えば、使用者の親指がヒンジ（１３４）の周りの第1のロック部材（１３１）の回転運動を制御するように構成されている使用者接触面（１３１Ａ）を含む。使用者接触面は、使用者の親指による把持を可能にするために、その上に配置される畝模様または他の表面テクスチャを含み得る。第１のロック部材（１３１）は、第１のロック部材（１３１）がトリガー部材（１３０）の周りに回転してロック構成になるときに第２のロック部材（１２１）に適切に構成されている第２の形状部分（１２１）に解放可能に掛金を掛けるように構成されている第１の形状部分（１３１Ｂ）を含み得る。ロック構成では、第１のロック部材（１３１）の戻しバネ（１３１Ｃ）は、使用者がトリガー部材（１３０）の押し込みを止めたときでもロック構成に留まり得るように、第１のロック部材（１３１）の第１の形状部分（１３１Ｂ）を第２のロック部材（１２１）の第２の形状部分（１２１）に対して押しつける助けとなる。したがって、アクチュエータ部材（１５０）は、いつまでもオン位置にロックされたままである。
【００２２】
その後、第１のロック部材（１３１）は、第１のロック部材（１３１）の第１の形状部分（１３１Ｂ）が、第２のロック部材（１２１）の第２の形状部分（１２１）からそれ自体の掛金を外し、次いで、ヒンジ（１３４）の周りの第２（例えば、逆）の方向に自由に回転して第２のロック部材（１２１）との非ロック構成になり得るように、再びトリガー部材（１３０）をハウジング（１２０）に向けて押し込むことによって、第２のロック部材（１２１）とのロック構成から移動し得る。非ロック構成では、使用者がトリガー部材（１３０）の押し込みを止めると、トリガー部材を戻しバネ（１３６）に押しつけることによって、トリガー部材（１３０）がハウジング（１２０）から離れてヒンジ（１３３）の周りに自由に回転することができ、今度は、トリガー部材（１３０）に動作可能に接続されたアクチュエータ部材（１５０）もまた、オン位置からオフ位置にハウジング（１２０）の外向きの方向に移動する。
【００２３】
この実施形態では、第１のロック部材（１３１）が周りに回転する回転軸（Ｘ）は、アクチュエータ部材（１５０）の移動方向と実質的に直角である。しかし、第１のロック部材（１３１）の回転の方向および向きは、必要に応じて変わり得る。さらに、ある実施形態では、ロックオン機構は、第２のロック部材（１２１）との連動構成のために、他の適切な配置を使用して、例えば、第２のロック部材（１２１）に対して摺動可能に移動するように構成されているバネ仕掛けの第１のロック部材（１３１）を使用して実施され得る。
【００２４】
施錠システムのロックオフ機構は、トリガー部材（１３０）に配置されたロックオフ部材（１３２）を含む。ロックオフ部材（１３２）は、ロックオフ部材（１３２）がハウジング（１２０）に対するトリガー部材（１３０）の移動を制限しアクチュエータ部材（１５０）がオフ位置からオン位置への移動を制限されるロックオフ位置と、ロックオフ部材がトリガー部材（１３０）のハウジング（１２０）に対する移動を制限せずアクチュエータ部材（１５０）がオフ位置からオン位置への移動を制限されない非ロックオフ位置との間を選択可能に移動可能である。この実施形態では、ハウジングから伸びる形状部分は、ロックオフ部材が摺動軸（Ｙ）に沿った相対的に中央のロックオフ位置に摺動可能に配置されるときにロックオフ部材がハウジングに向かう方向への移動を防止するように構成されていてもよい。すなわち、図９に示すように、ロックオフ部材は、ハウジングに向かう下方に移動できず、したがって、これは、トリガー部材のハウジングに向かう回転運動も制限する。
【００２５】
ロックオフ機構のロックオフ部材（１３２）は、トリガー部材（１３０）に摺動可能に取り付けられ、ロックオフ位置と非ロックオフ位置との間の摺動軸（Ｙ）に沿ってトリガー部材（１３０）に対して摺動可能に移動するように構成されている。これらの実施形態では、摺動軸（Ｙ）は、第１のロック部材（１３１）のそのヒンジ（１３４）の周りの回転軸（Ｘ）と実質的に平行である。ロックオフ部材（１３２）は、摺動軸（Ｙ）に沿った相対的に中央の位置に配置されているときにロックオフ位置にあり、ロックオフ部材（１３２）は、相対的に中央の位置のいずれかの側の摺動軸（Ｙ）に沿った位置に摺動可能に配置されているときに非ロックオフ位置にある。図１０および１１に示すように、ロックオフ機構は、ロックオフ部材（１３２）のいずれかの側に取り付けられ、ロックオフ部材（１３２）の摺動軸（Ｙ）と実質的に軸方向に整列して伸びる２つの戻しバネ（１３２Ａ、１３２Ｂ）を含む。戻しバネ（１３２Ａ、１３２Ｂ）は、ロックオフ部材（１３２）をデフォルト位置として摺動軸（Ｙ）に沿った相対的に中央の位置に押しつけるように構成されている。ロックオフ部材（１３２）は、使用者の親指が、ロックオン機構とロックオフ機構との両方に都合よく接して操作し得るように、ロックオン機構の第１のロック部材（１３１）に接するトリガー部材（１３０）に摺動可能に取り付けられ、使用中のトリガー部材（１３０）上の使用者の手の配置を調整する必要がない。ロックオフ部材（１３２）はまた、ロックオフ位置に配置されるときにトリガー部材（１３０）に加えられる少なくとも約５０ポンドの力に耐えるように定格として決められている。例えば、「Ｅクリップ」、「Ｅリング」等の金属ファスナ（１３２Ｃ）は、ロックオフ部材（１３２）とトリガー部材（１３０）との間のロックオフ部材（１３２）のステムの周囲の位置に挟まれており、ファスナ（１３２Ｃ）をロックオフ部材（１３２）とともに移動させるように、戻しバネ（１３２Ａ、１３２Ｂ）によって作用を受ける。好都合には、ロックオフ部材（１３２）とトリガー部材（１３０）との間のファスナ（１３２Ｃ）の存在は、ロックオフ部材（１３２）がロックオフ位置に配置されるときにトリガー部材（１３０）に加えられる力に耐える助けとなり得る。
【００２６】
図９は、ロックオフ機構の動作における例示のステップ（Ｉ〜Ｖ）を示す。図９において、ステップＩは、トリガー部材（１３０）のハウジング（１２０）に向かうヒンジ（１３３）の周りの回転運動を制限する摺動軸（Ｙ）に沿った相対的に中央の位置に配置されるロックオフ部材（１３２）に関する。図９において、ステップＩＩは、摺動軸（Ｙ）に沿った中央の位置のいずれかの側で摺動可能に移動する示されたロックオフ部材（１３２）に関する。この非ロックオフ位置では、トリガー部材（１３０）は、ロックオフ部材（１３２）による制限なく、ハウジング（１２０）に対して押し込められる準備ができ今にも押し込められることができる。図９において、ステップＩＩＩは、ハウジング（１２０）に向けて回転されるトリガー部材（１３０）と、画像の右端に示されるように、使用者がトリガー部材（１３０）の把持を離す場合にトリガー部材（１３０）がハウジング（１２０）から離れてなお自由に回転できるように、第２のロック部材（１２１）との非ロック構成に配置されるロックオン機構の第１のロック部材（１３１）とに関する。図９において、ステップＩＶは、ロックオン機構の第１のロック部材（１３１）が、第２のロック部材（１２１）とのロック構成で回転し、第１のロック部材（１３１）の戻しバネ（１３１Ｃ）が、第１のロック部材（１３１）の第１の形状部分（１３１Ｂ）を第２のロック部材（１２１）の第２の形状部分（１２１）との掛金係合に上向きに押しつけているため、ステップＩＩＩに示したものよりもわずかに高く持ち上げられたロックオフ部材（１３２）の位置を示す。図９のステップＶでは、トリガー部材（１３０）が、トリガー部材（１３０）に対して作用するハウジング（１２０）に向けて押し込まれ、戻しバネ（１３６）が、ロックオン機構の第１のロック部材（１３１）の第１の形状部分（１３１Ｂ）がロックオン機構の第２のロック部材（１２１）の第２の形状部分（１２１）からそれ自体の掛金を外すことを可能にするため、ロックオフ部材（１３２）の位置は、ステップＩＶに示したものよりもわずかに低い。見てわかるように、ロックオン機構の第１のロック部材（１３１）は、トリガー部材（１３０）が戻しバネ（１３６）の押しつけによってハウジング（１２０）から再び離れてヒンジ（１３３）の周りに今にも自由に回転することができる非ロック構成中の第２のロック部材（１２１）から離れるように回転される。
【００２７】
上記を考慮すると、本明細書に記載の本発明の実施形態が種々の利点を提供する助けとなり得ることが明らかであろう。特に、施錠システムは、使用者の手の配置を調整する必要がなく、使用者が片手で操作できるように、互いに近接して配置されるロックオン機構とロックオフ機構との両方を都合よく提供する。さらに、ロックオン機構とロックオフ機構とは、独立して動作可能な別々の機構によって構成されている。これは、ロックオフ機構を停止させることによって使用者が不注意に電動工具を作動させるリスクを減らすという点で安全機能を提供する。そのうえさらに、ロックオフ機構は中央のロックオフ位置のいずれかの側に摺動可能に移動し得るため、これは左利き使用者と右利き使用者との両方に便宜をはかる助けとなり得る。
【００２８】
当業者であれば、本明細書に記載の発明は、本発明の範囲から逸脱することなく具体的に記載されたもの以外の変形および修正を受けやすいことが理解されよう。当業者に明らかになるすべてのこのような変形および修正は、本明細書に広範に記載の発明の精神および範囲に入ると考えるべきである。本発明は、すべてのこのような変形および修正を含むことが理解されるべきである。本発明はまた、本明細書中に、個別に、または合わせて言及され、または示された工程および特徴のすべてと、前記工程または特徴の任意の２つ以上の任意かつすべての組み合わせを含む。
【００２９】
本明細書中の任意の先行技術への言及は、その先行技術が共通の一般的知識の一部を形成することの承認または任意の形式の示唆ではなく、そう受け止めるべきではない。
【図１】
2019111641.tif 000003
【図２】
2019111641.tif 000004
【図３】
2019111641.tif 000005
【図４】
2019111641.tif 000006
【図５】
2019111641.tif 000007
【図６】
2019111641.tif 000008
【図７】
2019111641.tif 000009
【図８Ａ】
2019111641.tif 000010
【図８Ｂ】
2019111641.tif 000011
【図８Ｃ】
2019111641.tif 000012
【図８Ｄ】
2019111641.tif 000013
【図９】
2019111641.tif 000014
【図１０】
2019111641.tif 000015
【図１１】
2019111641.tif 000016
【外国語明細書】
2019111641000001.pdf